【手続補正書】
【提出日】平成25年10月25日(2013.10.25)
【手続補正１】
【補正対象書類名】特許請求の範囲
【補正対象項目名】全文
【補正方法】変更
【補正の内容】
【特許請求の範囲】
【請求項１】
治療中に気体の供給を受けるために少なくとも一つの気体源に連結可能な、運搬可能な高圧チャンバ及び／又は低酸素チャンバ・システムに使用するのに適したチャンバであって、
ａ）少なくとも一人を収容する大きさの、端部が開口した管状体であって、前記管状体は、柔軟な強化弾性材料で作られ、第１の曲率半径を有するとともに第１の開口を有する実質的に球面状の第１の先端と、第２の曲率半径を有するとともに第２の開口を有する実質的に球面状の第２の先端と、中央軸とを備える管状体と、
ｂ）前記管状体の前記第１の先端を閉鎖するために、前記管状体の前記第１の先端において実質的に前記管状体の内部に取り付けられるように構成された第１の端部部材であって、前記第１の曲率半径と実質的に等しい第３の曲率半径を有する実質的に球面状の第１の外縁を備える第１の端部部材と、
ｃ）前記管状体の前記第２の先端を閉鎖するために、前記管状体の前記第２の先端において実質的に前記管状体の内部に取り付けられるように構成された第２の端部部材であって、前記第２の曲率半径と実質的に等しい第４の曲率半径を有する実質的に球面状の第２の外縁を備える第２の端部部材とを備え、
前記第１の端部部材及び第２の端部部材の少なくとも一つは、前記管状体の内部に入ることを可能にするドアを備え、
チャンバに気体が供給されると、前記第１の端部部材及び第２の端部部材は、前記管状体の前記第１の先端及び第２の先端にそれぞれ押し付けられることによってチャンバを封止するようになっている、チャンバ。
【請求項２】
前記管状体は円錐形に構成されている、請求項１に記載のチャンバ。
【請求項３】
前記第１の曲率半径は前記第２の曲率半径よりも大きくされている、請求項２に記載のチャンバ。
【請求項４】
前記弾性材料はラテックス−ネオプレン組成物である、請求項１に記載のチャンバ。
【請求項５】
前記弾性材料は前記管状体に巻かれたフィラメントにより強化されている、請求項１に記載のチャンバ。
【請求項６】
前記フィラメントはアラミドにより作られている、請求項５に記載のチャンバ。
【請求項７】
前記フィラメントは前記中央軸に対して、前記管状体の周りに角度を有して巻かれている、請求項５に記載のチャンバ。
【請求項８】
前記角度は約５４．７度又は約−５４．７度である、請求項７に記載のチャンバ。
【請求項９】
前記ドアは前記第１の端部部材に取り外し可能に取り付けられるよう構成される、請求項１に記載のチャンバ。
【請求項１０】
治療中に気体の供給を受けるために少なくとも一つの気体源に連結可能な、運搬可能な高圧及び／又は低酸素の治療に適した運搬可能なチャンバであって、
ａ）少なくとも一人を収容する大きさの円錐形の管状体であって、前記管状体は、強化弾性材料で作られ、第１の曲率半径を有するとともに第１の開口を有する実質的に球面状の第１の先端と、第２の曲率半径を有するとともに第２の開口を有する実質的に球面状の第２の先端とを備え、前記第１の曲率半径は前記第２の曲率半径より大きい管状体と、
ｂ）前記第１の開口を閉鎖するために、前記第１の先端において実質的に前記管状体の内部に取り付けられるように構成された第１の端部部材であって、前記第１の曲率半径と実質的に等しい第３の曲率半径を有する実質的に球面状の第１の外縁を備え、且つ前記管状体の内部に入ることを可能にするドアを備える第１の端部部材と、
ｃ）前記第２の開口を閉鎖するために、前記第２の先端において実質的に前記管状体の内部に取り付けられるように構成された第２の端部部材であって、前記第２の曲率半径と実質的に等しい第４の曲率半径を有する実質的に球面状の第２の外縁を備える第２の端部部材とを備え、
前記チャンバに気体が供給されると、前記第１の端部部材は、球面状の前記第１の外縁が前記第１の先端の内部表面に係合するように前記管状体の前記第１の先端に押し付けられ、前記第２の端部部材は、球面状の前記第２の外縁が前記第２の先端の内部表面に係合するように前記管状体の前記第２の先端に押し付けられて、前記チャンバを封止するようになっている、運搬可能なチャンバ。
【請求項１１】
前記ドアは係止リング・アセンブリを介して前記第１の端部部材に固定される請求項１０に記載の運搬可能なチャンバ。
【請求項１２】
高圧チャンバ及び／又は低酸素チャンバ・システムであって、
ａ）少なくとも一つの気体源と、
ｂ）気体の供給を受けるため前記少なくとも一つの気体源に連結可能なチャンバとを備え、前記チャンバは、
ｉ）少なくとも一人のユーザを収容する大きさの管状体であって、前記管状体は、強化弾性材料で作られ、第１の曲率半径を有するとともに第１の開口を有する実質的に球面状の第１の先端と、第２の曲率半径を有するとともに第２の開口を有する実質的に球面状の第２の先端とを備える管状体と、
ｉｉ）前記第１の開口を閉鎖するために、前記第１の先端において実質的に前記管状体の内部に取り付けられるように構成された第１の端部部材であって、前記第１の曲率半径と実質的に等しい第３の曲率半径を有する実質的に球面状の第１の外縁を備え、且つ前記チャンバの内部に入ることを可能にするドアを備える第１の端部部材と、
ｉｉｉ）前記第２の開口を閉鎖するために、前記第２の先端において実質的に前記管状体の内部に取り付けられるように構成された第２の端部部材であって、前記第２の曲率半径と実質的に等しい第４の曲率半径を有する実質的に球面状の第２の外縁を備える第２の端部部材とを備え、
前記チャンバが気体の供給を受けると、前記第１の端部部材は、前記気体の供給の圧力の下、球面状の前記第１の外縁が前記第１の先端の内部表面に係合するように前記管状体の前記第１の先端に押し付けられ、前記第２の端部部材は、前記気体の供給の圧力の下、球面状の前記第２の外縁が前記第２の先端の内部表面に係合するように前記管状体の前記第２の先端に押し付けられて、治療中に前記チャンバを封止するようになっている、チャンバ・システム。
【請求項１３】
前記管状体は円錐形に構成されている、請求項１２に記載のチャンバ・システム。
【請求項１４】
前記チャンバへの前記気体の供給を制御するための、前記少なくとも一つの気体源に動作可能に連結される制御システムをさらに備える請求項１２に記載のチャンバ・システム。
【請求項１５】
前記チャンバをサポートするサポート構造をさらに備える請求項１２から１４のいずれか一項に記載のチャンバ・システム。
【請求項１６】
前記少なくとも一つの気体源が前記サポート構造に組み込まれる、請求項１５に記載のチャンバ・システム。
【請求項１７】
請求項１から１１のいずれか一項に記載のチャンバを使用してユーザに高圧治療を行う方法であって、
ａ）前記ユーザが前記チャンバに入る工程と、
ｂ）前記ドアを閉める工程と
ｃ）前記チャンバの圧力が実質的に前記チャンバの外の圧力より高くなるように前記チャンバに気体を供給する工程とを備える方法。
【請求項１８】
請求項１から１１のいずれか一項に記載のチャンバを使用してユーザに低酸素治療を行う方法であって、
ａ）前記ユーザが前記チャンバに入る工程と、
ｂ）前記ドアを閉める工程と、
ｃ）前記チャンバ内の酸素レベルが前記チャンバの外の酸素レベルより低くなるように前記チャンバに気体を供給する工程とを備える方法。
【手続補正２】
【補正対象書類名】明細書
【補正対象項目名】発明の名称
【補正方法】変更
【補正の内容】
【発明の名称】高圧及び／又は低酸素治療用の運搬可能なチャンバ、そのチャンバを使用してユーザに低酸素治療を行う方法、及び高圧チャンバ及び／又は低酸素チャンバ・システム